(57)【特許請求の範囲】
【請求項１】
内燃機関のクランクシャフトに連結されるハブと、
前記ハブに対して距離を隔てて設けられる慣性マスと、
前記ハブと前記慣性マスとを弾性的に連結し、前記ハブに伝わる捻り振動を吸収するトーショナル用ゴム弾性体と、
前記ハブに対して距離を隔てて設けられ、かつ、前記慣性マスに対して相対回転可能に設けられるプーリ本体と、
前記ハブと前記プーリ本体とを弾性的に連結し、前記ハブに伝わる回転変動を吸収する回転変動吸収用ゴム弾性体と、
を備え、
前記ハブまたは前記慣性マスと前記プーリ本体とのうち一方は、回転軸方向に突出するピンを有し、
前記ハブまたは前記慣性マスと前記プーリ本体とのうち他方は、前記ピンを収容し前記ピンに対して所定位相範囲の相対回転を許容する回転許容溝と、前記回転許容溝の両端に設けられる係止溝と、を備え、
前記係止溝は、前記ピンが相対的に前記所定位相範囲を超えて回転した場合に、前記ピンと前記係止溝との相対回転を規制し、かつ、前記ピンが前記係止溝から前記ピンの軸方向へ抜けることを規制するアイソレーションダンパプーリ。
【請求項２】
請求項１において、
前記係止溝は、前記回転許容溝の両端に設けられ、前記ピンに対して摩擦による係止により、前記ピンと前記係止溝との相対回転を規制し、かつ、前記ピンが前記係止溝から前記ピンの軸方向へ抜けることを規制する摩擦係止溝を備えるアイソレーションダンパプーリ。
【請求項３】
請求項２において、
前記ピンの外周面の横断面形状は、円形状に形成され、
前記摩擦係止溝の溝幅は、端部に行くにつれて前記ピンの外径に対して次第に小さくなるようにＶ字形状に形成されるアイソレーションダンパプーリ。
【請求項４】
請求項２または３において、
前記ピンの基端部には、くびれ状凹部が形成され、
前記係止溝は、前記回転許容溝の両端に設けられ、前記ピンの前記くびれ状凹部に対して前記ピンの軸方向に係合して前記ピンが前記係止溝から前記ピンの軸方向へ抜けることを規制する抜け規制突起を備えるアイソレーションダンパプーリ。
【請求項５】
請求項２〜４の何れかにおいて、
前記係止溝は、前記摩擦係止溝のうち前記回転許容溝側に形成され、前記回転許容溝から前記摩擦係止溝への進入を許容し、かつ、前記摩擦係止溝から前記回転許容溝への戻り移動を規制する戻り規制突起を備えるアイソレーションダンパプーリ。
【請求項６】
請求項１において、
前記ピンの基端部には、くびれ状凹部が形成され、
前記係止溝は、
前記回転許容溝の両端に設けられ、前記ピンの前記くびれ状凹部に対して前記ピンの軸方向に係合して前記ピンが前記係止溝から前記ピンの軸方向へ抜けることを規制する抜け規制突起と、
前記抜け規制突起と前記回転許容溝との周方向境界に形成され、前記回転許容溝から前記抜け規制突起側への進入を許容し、かつ、前記抜け規制突起側から前記回転許容溝への戻り移動を規制する戻り規制突起と、
を備えるアイソレーションダンパプーリ。
【発明の詳細な説明】
【技術分野】
【０００１】
本発明は、トーショナル用ゴム弾性体と回転変動吸収用ゴム弾性体を備えるアイソレーションダンパプーリに関するものである。
【背景技術】
【０００２】
従来、アイソレーションダンパプーリとして、例えば、実開平６−５６５５３号公報（特許文献１）に記載されたものがある。アイソレーションダンパプーリは、トーショナル用ゴム弾性体と当該ゴム弾性体に連結されている慣性マスとの作用により、ハブに伝わる捻り振動を吸収することができる。さらに、回転変動吸収用ゴム弾性体は、ハブに回転変動が伝達された場合に、当該回転変動を吸収してプーリ本体へ伝達しないようにできる。そして、プーリ本体に接続される機器の不具合などにより、プーリ本体に過大なトルクが生じると、回転変動吸収用ゴム弾性体が捻れて破損するおそれがある。そのため、特許文献１においては、プーリ本体に円弧形状の長孔が設けられ、その長孔に対向する位置の慣性マスにストッパピンが設けられている。そして、過大なトルクが生じた場合に、ストッパピンが長孔の端部に止められて、ゴム弾性体が破損することを防止している。
【先行技術文献】
【特許文献】
【０００３】
【特許文献１】実開平６−５６５５３号公報
【発明の概要】
【発明が解決しようとする課題】
【０００４】
ストッパピンと長孔によりゴム弾性体が破損することを防止することはできるとされているが、仮にゴム弾性体が破損したとしても安全である必要がある。そして、特許文献１記載のアイソレーションダンパプーリにおいては、仮にゴム弾性体が破損したときには、プーリ本体がハブから脱落するおそれがある。
【０００５】
本発明は、このような事情に鑑みてなされたものであり、仮にゴム弾性体が破損したとしても、プーリ本体がハブから脱落することを防止できるフェールセーフ機能を有するアイソレーションダンパプーリを提供することを目的とする。
【課題を解決するための手段】
【０００６】
（請求項１）本発明のアイソレーションダンパプーリは、内燃機関のクランクシャフトに連結されるハブと、前記ハブに対して距離を隔てて設けられる慣性マスと、前記ハブと前記慣性マスとを弾性的に連結し、前記ハブに伝わる捻り振動を吸収するトーショナル用ゴム弾性体と、前記ハブに対して距離を隔てて設けられ、かつ、前記慣性マスに対して相対回転可能に設けられるプーリ本体と、前記ハブと前記プーリ本体とを弾性的に連結し、前記ハブに伝わる回転変動を吸収する回転変動吸収用ゴム弾性体と、を備える。そして、前記ハブまたは前記慣性マスと前記プーリ本体とのうち一方は、回転軸方向に突出するピンを有する。前記ハブまたは前記慣性マスと前記プーリ本体とのうち他方は、前記ピンを収容し前記ピンに対して所定位相範囲の相対回転を許容する回転許容溝と、前記回転許容溝の両端に設けられる係止溝とを備え、前記係止溝は、前記ピンが相対的に前記所定位相範囲を超えて回転した場合に、前記ピンと前記係止溝との相対回転を規制し、かつ、前記ピンが前記係止溝から前記ピンの軸方向へ抜けることを規制する。
【０００７】
（請求項２）また、本発明のアイソレーションダンパプーリにおいて、前記係止溝は、前記回転許容溝の両端に設けられ、前記ピンに対して摩擦による係止により、前記ピンと前記係止溝との相対回転を規制し、かつ、前記ピンが前記係止溝から前記ピンの軸方向へ抜けることを規制する摩擦係止溝を備えるようにしてもよい。
【０００８】
（請求項３）また、本発明のアイソレーションダンパプーリにおいて、前記ピンの外周面の横断面形状は、円形状に形成され、前記摩擦係止溝の溝幅は、端部に行くにつれて前記ピンの外径に対して次第に小さくなるようにＶ字形状に形成されるようにしてもよい。
【０００９】
（請求項４）また、本発明のアイソレーションダンパプーリにおいて、前記ピンの基端部には、くびれ状凹部が形成され、前記係止溝は、前記回転許容溝の両端に設けられ、前記ピンの前記くびれ状凹部に対して前記ピンの軸方向に係合して前記ピンが前記係止溝から前記ピンの軸方向へ抜けることを規制する抜け規制突起を備えるようにしてもよい。
【００１０】
（請求項５）また、本発明のアイソレーションダンパプーリにおいて、前記係止溝は、前記摩擦係止溝のうち前記回転許容溝側に形成され、前記回転許容溝から前記摩擦係止溝への進入を許容し、かつ、前記摩擦係止溝から前記回転許容溝への戻り移動を規制する戻り規制突起を備えるようにしてもよい。
【００１１】
（請求項６）また、本発明のアイソレーションダンパプーリにおいて、前記ピンの基端部には、くびれ状凹部が形成され、前記係止溝は、前記回転許容溝の両端に設けられ、前記ピンの前記くびれ状凹部に対して前記ピンの軸方向に係合して前記ピンが前記係止溝から前記ピンの軸方向へ抜けることを規制する抜け規制突起と、前記抜け規制突起と前記回転許容溝との周方向境界に形成され、前記回転許容溝から前記抜け規制突起側への進入を許容し、かつ、前記抜け規制突起側から前記回転許容溝への戻り移動を規制する戻り規制突起とを備えるようにしてもよい。
【発明の効果】
【００１２】
（請求項１）本発明によれば、回転変動吸収用ゴム弾性体に過大なトルクが発生した場合には、係止溝によって、ピンと係止溝との相対回転を規制すると共にピンが係止溝からピンの軸方向へ抜けることを規制している。これにより、回転変動吸収用ゴム弾性体に過大なトルクが発生し、仮に回転変動吸収用ゴム弾性体が破損したとしても、プーリ本体がハブから脱落することを防止できる。
【００１３】
ところで、回転変動を吸収するためには、回転変動吸収用ゴム弾性体の共振周波数を低くすることが求められる。つまり、回転変動吸収用ゴム弾性体の共振周波数帯を低くするには、柔らかくすることになり、ゴム弾性体の強度を低下させることにつながる。しかし、上記のとおり、本発明によれば、プーリ本体がハブから脱落しないようにすることを目的として、回転変動吸収用ゴム弾性体の強度を高くする必要がない。そのため、回転変動吸収用ゴム弾性体は、回転変動の吸収機能を確実に発揮できるような共振周波数に調整することができる。
【００１４】
（請求項２）本発明によれば、係止溝を摩擦係止による構成としたことにより、容易な形状によりピンを係止できる。
（請求項３）本発明によれば、確実に摩擦係止できる。
【００１５】
（請求項４）本発明によれば、くびれ状凹部と抜け規制突起により物理的にピンの抜け防止が可能となる。
（請求項５）本発明によれば、ハブとプーリ本体との相対回転によってピンが戻り規制突起を超えて摩擦係止溝へ移動した後には、ピンは摩擦係止溝から回転許容溝の方へ移動することが規制される。従って、ピンが摩擦係止溝に係止された状態を維持することができる。
【００１６】
（請求項６）本発明によれば、くびれ状凹部と抜け規制突起により物理的にピンの抜け防止が可能となる。さらに、ハブとプーリ本体との相対回転によってピンが戻り規制突起を超えて係止溝へ移動した後には、ピンは係止溝から回転許容溝の方へ移動することが規制される。従って、ピンが係止溝に係止された状態を維持することができる。
【図面の簡単な説明】
【００１７】
【図１】第一実施形態におけるアイソレーションダンパプーリの軸方向断面図である。ただし、中心軸から片側のみについて図示する。
【図２】図１の右側（軸方向）から見た部分的な図である。
【図３】第二実施形態におけるアイソレーションダンパプーリの軸方向断面図であり、図５のＡ−Ａ断面図である。
【図４】第二実施形態におけるアイソレーションダンパプーリの軸方向断面図であり、図５のＢ−Ｂ断面図である。
【図５】図３の右側（軸方向）から見た部分的な図である。
【図６】第三実施形態におけるアイソレーションダンパプーリの軸方向から見た部分的な図である。
【発明を実施するための形態】
【００１８】
以下、本発明のアイソレーションダンパプーリを具体化した実施形態について図面を参照しつつ説明する。
【００１９】
＜第一実施形態＞
（アイソレーションダンパプーリの全体構造説明）
第一実施形態のアイソレーションダンパプーリの全体構造について、図１を参照して説明する。アイソレーションダンパプーリ１は、例えば自動車の内燃機関のクランクシャフト（回転軸）に連結され、かつ、外周にポリＶベルトを懸架して使用される。そして、内燃機関によるクランクシャフトの回転駆動力を、ポリＶベルトを介して自動車に搭載されている各種の補機類、例えば、オルタネータ、ウォータポンプ、クーラコンプレッサ等に伝達して、これらの補機類を駆動する。
【００２０】
アイソレーションダンパプーリ１は、ハブ１０に伝わる捻り振動を吸収する機能を有すると共に、ハブ１０に伝わる回転変動を吸収する機能を有する。このアイソレーションダンパプーリ１は、図１に示すように、ハブ１０と、慣性マス２０と、トーショナル用ゴム弾性体３０と、プーリ本体４０と、回転変動吸収用ゴム弾性体５０と、軸受６０と、ストッパピン７０とを備えて構成される。
【００２１】
ハブ１０は、金属製の円環状に形成され、アイソレーションダンパプーリ１における中心軸部分に配置される。ハブ１０は、円筒形状のハブ内筒部１１と、ハブ内筒部１１の外周側に同心的に配置される円筒形状のハブ外筒部１２と、ハブ内筒部１１の一端（図１の左端）とハブ外筒部１２の一端（図１の左端）とを連結する円盤形状のハブ連結部１３とを備え、一体的に形成されている。つまり、ハブ１０は、軸方向一方側（図１の右側）に開口する円形溝を有する形状に形成されている。ハブ外筒部１２の外周面における軸方向中央部には、径方向外側に突出する環状突起１２ａが形成されている。ハブ内筒部１１の内周側には、内燃機関のクランクシャフトが嵌合により固定されることで連結されている。つまり、ハブ１０は、クランクシャフトと一体的に回転する。
【００２２】
慣性マス２０は、金属製の円環状に形成され、ハブ外筒部１２に対して径方向外側に距離を隔てて同心的に設けられる。慣性マス２０は、ハブ外筒部１２の径方向外側に対向して配置される円筒形状のマス筒部２１と、マス筒部の一端（図１の左端）から径方向外側に延びるフランジ部２２とを備え、一体的に形成される。マス筒部２１の内周面における軸方向中央部には、径方向外側に凹む凹状溝２１ａが形成されている。そして、マス筒部２１の凹状溝２１ａは、ハブ外筒部１２の環状突起１２ａに対向する位置に配置されている。
【００２３】
トーショナル用ゴム弾性体３０は、ハブ外筒部１２の外周面と慣性マス２０のマス筒部２１の内周面とを弾性的に連結する。そして、ハブ１０にクランクシャフトから捻り振動が伝達された場合には、伝達された捻り振動をトーショナル用ゴム弾性体３０が吸収する。
【００２４】
プーリ本体４０は、金属製の円環状に形成され、ハブ１０に対して距離を隔てて同心的に設けられ、かつ、慣性マス２０に対して相対回転可能に設けられる。プーリ本体４０は、ハブ外筒部１２、慣性マス２０のマス筒部２１およびトーショナル用ゴム弾性体３０の一部を収容する環状溝を形成している。プーリ本体４０は、プーリ内筒部４１と、プーリ外筒部４２と、プーリ連結部４３とを備え、一体的に形成されている。
【００２５】
プーリ内筒部４１は、円筒形状に形成され、ハブ内筒部１１に対して径方向外側に大きく距離を隔てて設けられ、ハブ外筒部１２に対して径方向内側に僅かに距離を隔てて設けられる。プーリ外筒部４２は、筒状に形成され、プーリ内筒部４１の外周側に同心的に配置され、慣性マス２０のマス筒部２１に対して径方向外側に僅かに距離を隔てて設けられる。プーリ外筒部４２の外周面には、ポリＶベルト（図示せず）が懸架されるＶ溝が軸方向に複数形成されている。プーリ連結部４３は、円盤形状に形成され、プーリ内筒部４１の一端（図１の右端）とプーリ外筒部４２の一端（図１の右端）とを連結する。このプーリ連結部４３には、周方向の一部分において円弧形状の長孔４３ａが形成されている。この長孔４３ａの詳細については後述する。
【００２６】
回転変動吸収用ゴム弾性体５０は、円筒形状に形成され、ハブ内筒部１１の外周面とプーリ本体４０のプーリ内筒部４１の内周面とを弾性的に連結する。そして、ハブ１０にクランクシャフトから回転変動が伝達された場合には、伝達された回転変動を回転変動吸収用ゴム弾性体５０が吸収する。詳細には、回転変動吸収用ゴム弾性体５０の外周面は、プーリ内筒部４１の内周面に加硫接着により連結され、回転変動吸収用ゴム弾性体５０の内周面は、補助筒金具５１の外周面に加硫接着により連結されている。そして、補助筒金具５１がハブ内筒部１１の外周面に圧入により嵌合されることで、回転変動吸収用ゴム弾性体５０がハブ内筒部１１に連結される。また、回転変動吸収用ゴム弾性体５０の径方向長さは、トーショナル用ゴム弾性体３０の径方向長さに比べて十分に長くされている。これは、回転変動吸収用ゴム弾性体５０に要求される共振周波数が低いため、回転方向に十分に柔らかくする必要があるためである。
【００２７】
軸受６０は、ハブ外筒部１２の内周面とプーリ内筒部４１の外周面との間に介在され、ハブ１０に対してプーリ本体４０が回転可能となるように支持している。
【００２８】
ストッパピン７０は、慣性マス２０のマス筒部２１のうちプーリ連結部４３側の端面（図１の右端面）から回転軸方向（図１の右側）に突出するように、マス筒部２１の一端面に固定されている。このストッパピン７０は、円柱形状に形成されている。ストッパピン７０は、プーリ連結部４３に形成されている長孔４３ａに挿入され、長孔４３ａに対して相対的な回転を許容されている。
【００２９】
（プーリ本体のプーリ連結部に形成されている長孔の詳細形状）
プーリ本体４０のプーリ連結部４３には、円弧形状の長孔４３ａが形成されている。この長孔４３ａの詳細形状について、図２を参照して説明する。長孔４３ａは、円弧形状の回転許容溝８１と、回転許容溝８１の円弧両端に位置する摩擦係止溝８２，８３とを備えている。
【００３０】
回転許容溝８１は、ストッパピン７０を収容しており、ストッパピン７０に対して所定位相範囲θの相対回転を許容する。詳細には、回転許容溝８１は、径方向幅が同一幅の円弧形状に形成されている。ここで、回転許容溝８１の径方向幅の中央における円弧半径は、ストッパピン７０におけるアイソレーションダンパプーリ１の回転中心からの距離とほぼ同程度としている。また、回転許容溝８１の径方向幅は、ストッパピン７０の直径より大きく設定されている。さらに、回転許容溝８１の円弧形状の位相範囲は、上述した所定位相範囲θに一致させている。
【００３１】
この所定位相範囲θとは、プーリ本体４０が慣性マス２０に対して相対回転した場合に、回転変動吸収用ゴム弾性体５０の許容範囲となる範囲である。つまり、プーリ本体４０と慣性マス２０との相対回転が所定位相範囲θ内の使用であれば、回転変動吸収用ゴム弾性体５０の許容範囲に入るということになる。従って、正常状態であれば、プーリ本体４０と慣性マス２０との相対回転の位相範囲は、所定位相範囲θ内となる。
【００３２】
ここで、図１，２において、回転許容溝８１は、プーリ連結部４３に対して軸方向に貫通する孔として示しているが、貫通孔に限られるものではなく、慣性マス２０側に開口する底付き凹部としてもよい。回転許容溝８１の用語の意味は、両者を含む意味で用いている。
【００３３】
摩擦係止溝８２，８３は、回転許容溝８１の円弧両端に位置する。例えば、接続される補機の異常によりプーリ本体４０に大きなトルクが発生するおそれがある。このような場合には、プーリ本体４０が慣性マス２０に対する相対回転量が大きくなる。そうすると、回転変動吸収用ゴム弾性体５０には、大きなトルクがかかることになる。そして、摩擦係止溝８２，８３は、この状態を防止するために作用する。
【００３４】
摩擦係止溝８２，８３は、プーリ本体４０に大きなトルクが発生した場合に、ストッパピン７０が所定位相範囲θを超えて回転した場合に、ストッパピン７０と当接して、ストッパピン７０との相対回転を規制している。摩擦係止溝８２，８３の溝幅は、端部に行くにつれてストッパピン７０の外径に対して次第に小さくなるようにＶ字形状に形成されている。
【００３５】
従って、プーリ本体４０が慣性マス２０に対して大きく相対回転して、ストッパピン７０が摩擦係止溝８２，８３に当接すると、ストッパピン７０に対して摩擦による係止によりストッパピン７０との相対回転を規制しかつストッパピン７０の抜けを規制することになる。
【００３６】
このように、長孔４３ａの両端に上述したような摩擦係止溝８２，８３を形成することにより、プーリ本体４０に異常に大きなトルクが発生した場合に、ストッパピン７０と摩擦係止溝８２，８３とを摩擦により係止することができる。従って、係止された後には、プーリ本体４０は、慣性マス２０と一体的となり、ハブ１０に対してもほぼ一体的な状態となる。その結果、プーリ本体４０に異常に大きなトルクが発生したとしても、回転変動吸収用ゴム弾性体５０には、過大なトルクが作用することなく、破損することを防止できる。
【００３７】
仮に、回転変動吸収用ゴム弾性体５０に過大なトルクが発生したとしても、そのときには、摩擦係止溝８２，８３によって、ストッパピン７０との相対回転を規制すると共にストッパピン７０の抜けを規制している。これにより、回転変動吸収用ゴム弾性体５０に過大なトルクが発生し、仮に回転変動吸収用ゴム弾性体５０が破損したとしても、プーリ本体４０がハブ１０から脱落することを防止できる。
【００３８】
また、回転変動を吸収するためには、回転変動吸収用ゴム弾性体５０の共振周波数を低くすることが求められる。つまり、回転変動吸収用ゴム弾性体５０の共振周波数帯を低くするには、回転方向に柔らかくすることになり、回転変動吸収用ゴム弾性体５０の強度を低下させることにつながる。しかし、上記のとおり、プーリ本体４０がハブ１０から脱落しないようにすることを目的として、回転変動吸収用ゴム弾性体５０の強度を高くする必要がない。そのため、回転変動吸収用ゴム弾性体５０は、回転変動の吸収機能を確実に発揮できるような共振周波数に調整することができる。
【００３９】
＜第二実施形態＞
第二実施形態の長孔１４３ａとストッパピン１７０について、図３〜図５を参照して説明する。なお、第二実施形態においては、長孔１４３ａとストッパピン１７０以外の構成は、第一実施形態と同一であるため同一符号を付して説明を省略する。
【００４０】
図３に示すように、ストッパピン１７０は、慣性マス２０のマス筒部２１のうちプーリ連結部４３側の端面（図１の右端面）から回転軸方向（図１の右側）に突出するように、マス筒部２１の一端面に固定されている。このストッパピン１７０は、全体としてはほぼ円柱形状に形成されており、基端部にくびれ状凹部１７１が形成されている。ストッパピン１７０は、プーリ連結部４３に形成されている長孔１４３ａに挿入され、長孔１４３ａに対して相対的な回転を許容されている。
【００４１】
長孔１４３ａは、円弧形状の回転許容溝８１（第一実施形態の回転許容溝８１と同一形状）と、回転許容溝８１の円弧両端に位置する係止溝１１０，１２０とを備えている。係止溝１１０，１２０は、第一実施形態の摩擦係止溝８２，８３と同様に、回転変動吸収用ゴム弾性体５０に過大なトルクがかかることを防止する作用を有する。
【００４２】
係止溝１１０，１２０は、係止溝本体部１１１，１２１と、抜け規制突起１１２，１２２と、戻り規制突起１１３，１２３とを備える。係止溝本体部１１１，１２１は、第一実施形態の摩擦係止溝８２，８３と同形状である。すなわち、係止溝本体部１１１，１２１の溝幅は、端部に行くにつれてストッパピン１７０の円柱外径に対して次第に小さくなるようにＶ字形状に形成されている。
【００４３】
抜け規制突起１１２，１２２は、係止溝本体部１１１，１２１のうち慣性マス２０側から溝内側に突出形成されている。本実施形態においては、抜け規制突起１１２，１２２は、係止溝本体部１１１，１２１のうち径方向外側（図３の上側）に設けている。また、抜け規制突起１１２，１２２は、係止溝本体部１１１，１２１の周方向全体に亘って設けられている。この抜け規制突起１１２，１２２の軸方向幅は、ストッパピン１７０のくびれ状凹部１７１の凹幅よりも狭く形成され、ストッパピン１７０が係止溝１１０，１２０に位置する状態においてくびれ状凹部１７１に係合する位置に形成されている。つまり、プーリ本体４０に大きなトルクが発生した場合に、ストッパピン１７０が所定位相範囲θを超えて回転した場合に、ストッパピン１７０のくびれ状凹部１７１が、抜け規制突起１１２，１２２に係合され、ストッパピン１７０の突出方向（軸方向）へのストッパピン１７０の係止溝１１０，１２０からの抜けを規制している。
【００４４】
戻り規制突起１１３，１２３は、係止溝本体部１１１，１２１のうち回転許容溝８１側に、係止溝本体部１１１，１２１から溝内側に突出形成されている。本実施形態においては、戻り規制突起１１３，１２３は、係止溝本体部１１１，１２１のうち径方向外側と径方向内側の両方に設けている。この戻り規制突起１１３，１２３の開口幅は、ストッパピン１７０の円柱外径より僅かに小さく形成されている。
【００４５】
つまり、ストッパピン１７０がある程度大きな速度で回転許容溝８１から戻り規制突起１１３，１２３に到達すると、ストッパピン１７０または戻り規制突起１１３，１２３が僅かに弾性変形することにより、係止溝本体部１１１，１２１側への進入を許容する。一方、ストッパピン１７０が係止溝本体部１１１，１２１に進入した後においては、ストッパピン１７０の係止溝本体部１１１，１２１に対する相対回転速度は、相対的に小さい。そのため、仮に、係止溝本体部１１１，１２１から回転許容溝８１側へ戻ろうとしたとしても、ストッパピン１７０および戻り規制突起１１３，１２３は弾性変形せずに、戻り移動を規制する。
【００４６】
本実施形態によれば、係止溝本体部１１１，１２１により、第一実施形態の摩擦係止溝８２，８３と同様に、ストッパピン１７０を摩擦により係止することができる。さらに、本実施形態によれば、ストッパピン１７０が係止溝本体部１１１，１２１に進入した状態において、ストッパピン１７０のくびれ状凹部１７１が、抜け規制突起１１２，１２２に対して軸方向に係合している。これにより、ストッパピン１７０の係止溝１１０，１２０に対する軸方向の抜けに対して、摩擦力に加えて物理的な係合により規制されている。
【００４７】
さらに、ストッパピン１７０が係止溝本体部１１１，１２１に進入した状態において、ストッパピン１７０に対して回転許容溝８１側へ戻る力が作用したとしても、ストッパピン１７０は、戻り規制突起１１３，１２３により係止溝本体部１１１，１２１側から回転許容溝８１側への戻り移動を規制されている。従って、ストッパピン１７０は、係止溝本体部１１１，１２１に摩擦係止された状態が維持される。
【００４８】
このように、長孔１４３ａの両端に上述したような係止溝本体部１１１，１２１、抜け規制突起１１２，１２２および戻り規制突起１１３，１２３を形成することにより、プーリ本体４０に異常に大きなトルクが発生した場合に、ストッパピン１７０と係止溝１１０，１２０に係止される。従って、係止された後には、プーリ本体４０は、慣性マス２０と一体的となり、ハブ１０に対してもほぼ一体的な状態となる。その結果、プーリ本体４０に異常に大きなトルクが発生したとしても、回転変動吸収用ゴム弾性体５０には、過大なトルクが作用することなく、破損することを防止できる。
【００４９】
仮に、回転変動吸収用ゴム弾性体５０に過大なトルクが発生したとしても、そのときには、係止溝１１０，１２０によって、ストッパピン１７０との相対回転を規制すると共にストッパピン１７０の抜けを規制している。これにより、回転変動吸収用ゴム弾性体５０に過大なトルクが発生し、仮に回転変動吸収用ゴム弾性体５０が破損したとしても、プーリ本体４０がハブ１０から脱落することを防止できる。
【００５０】
＜第三実施形態＞
第三実施形態の長孔２４３ａについて、図６を参照して説明する。本実施形態の長孔２４３ａは、係止溝本体部２１１，２２１と、抜け規制突起１１２，１２２と、戻り規制突起１１３，１２３とを備えている。ここで、本実施形態の長孔２４３ａの係止溝本体部２１１，２２１は、第二実施形態の長孔１４３ａにおける係止溝本体部１１１，１２１が相違する。また、本実施形態の抜け規制突起１１２，１２２および戻り規制突起１１３，１２３は、第二実施形態と同一である。
【００５１】
係止溝本体部２１１，２２１は、溝幅が次第に小さくなるＶ字形状ではなく、回転許容溝８１と同幅で僅かな位相範囲を形成され、係止溝本体部２１１，２２１の端部が、当該幅を直径とする円弧形状に形成されている。つまり、係止溝本体部２１１，２２１は、第二実施形態のようにストッパピン１７０に対して摩擦により係止するものではない。
【００５２】
このような構成において、ストッパピン１７０が係止溝本体部２１１，２２１に進入すると、抜け規制突起１１２，１２２によりストッパピン１７０が係止溝本体部２１１，２２１からの抜けを規制する。さらに、戻り規制突起１１３，１２３により、ストッパピン１７０は回転許容溝８１側への戻り移動が規制されている。従って、ストッパピン１７０が係止溝本体部２１１，２２１に進入した後において、ストッパピン１７０は、係止溝本体部２１１，２２１に位置し続けることになる。これにより、第二実施形態と実質的に同様の効果を奏する。
【００５３】
＜その他＞
上記実施形態においては、ストッパピン７０を慣性マス２０のマス筒部２１に固定し、長孔をプーリ本体４０のプーリ連結部４３に形成した。この他に、ストッパピン７０をハブ外筒部１２の一端面に固定し、長孔４３ａをプーリ本体４０のプーリ連結部４３に形成することもできる。また、ストッパピン７０を固定する部材と長孔４３ａを形成する部材とを入れ替えることもできる。
【符号の説明】
【００５４】
１：アイソレーションダンパプーリ
１０：ハブ、  １１：ハブ内筒部、  １２：ハブ外筒部、  １２ａ：環状突起
１３：ハブ連結部
２０：慣性マス、  ２１：マス筒部、  ２１ａ：凹状溝、  ２２：フランジ部
３０：トーショナル用ゴム弾性体
４０：プーリ本体、  ４１：プーリ内筒部、  ４２：プーリ外筒部
４３：プーリ連結部、  ４３ａ，１４３ａ，２４３ａ：長孔
５０：回転変動吸収用ゴム弾性体、  ５１：補助筒金具
６０：軸受、  ７０：ストッパピン
８１：回転許容溝、  ８２，８３：摩擦係止溝
１１０，１２０：係止溝、  １１１，１２１：係止溝本体部
１１２，１２２：抜け規制突起、  １１３，１２３：戻り規制突起
１７０：ストッパピン、  １７１：くびれ状凹部
２１１，２２１：係止溝本体部
θ：所定位相範囲
【図１】
0005771949.tif 000002
【図２】
0005771949.tif 000003
【図３】
0005771949.tif 000004
【図４】
0005771949.tif 000005
【図５】
0005771949.tif 000006
【図６】
0005771949.tif 000007